(57)【要約】本発明は、重力体による浮力発電装置に関する。そのために、本発明は、回転軸に少なくとも１つの回転体が備えられ、前記回転体は、回転軸との間にラッチが備えられて一側方向にのみ動力を伝達し、前記回転軸の一側端部には動力伝達ギヤが備えられることで、回転モジュールが形成され、前記回転モジュールの回転体にはロープが当接するように取り付けられて上下に移動し、前記ロープの一側端部には浮力体が備えられ、他側端部には浮力体よりも重量の小さい重力体が備えられ、前記回転モジュールの一側端部には、動力ギヤが前記動力伝達ギヤと当接するように備えられて、前記動力ギヤの回転力が発電機に伝達される。これによって、海水面の流動を浮力体の上下垂直運動に効果的に転換することができる。
2018530704.tif 000002
【特許請求の範囲】
【請求項１】
回転軸（１１）に少なくとも１つの回転体（１２）が備えられ、前記回転体（１２）は、回転軸（１１）との間にラッチ（Ｌ）が備えられて一側方向にのみ動力を伝達し、前記回転軸（１１）の一側端部には動力伝達ギヤ（１３）が備えられることで、回転モジュール（１０）が形成され、前記回転モジュール（１０）の回転体（１２）にはロープ（２０）が当接するように取り付けられて上下に移動し、前記ロープ（２０）の一側端部には浮力体（３０）が備えられ、他側端部には浮力体（３０）よりも重量の小さい重力体（４０）が備えられ、前記回転モジュール（１０）の一側端部には、動力ギヤ（５０）が前記動力伝達ギヤ（１３）と当接するように備えられて、前記動力ギヤ（５０）の回転力が発電機（６０）に伝達されることを特徴とする、重力体による浮力発電装置。
【請求項２】
前記回転体（１２）はピニオンギヤであり、ロープ（２０）に形成されたラックギヤ（２１）が当接するようにロープ（２０）が取り付けられて上下に移動することを特徴とする、請求項１に記載の重力体による浮力発電装置。
【請求項３】
前記ロープ（２０）は、回転体（１２）に１周以上巻回されるように取り付けられて上下に移動することを特徴とする、請求項１に記載の重力体による浮力発電装置。
【請求項４】
前記回転体（１２）は螺旋状の巻取溝（１２ｃ）が形成され、前記巻取溝（１２ｃ）にロープ（２０）が１周以上巻回されるように取り付けられることを特徴とする、請求項３に記載の重力体による浮力発電装置。
【請求項５】
前記回転モジュール（１０）は、並んで配置された一対の第１及び第２回転軸（１１ａ）（１１ｂ）に、それぞれ少なくとも１つの第１及び第２回転体（１２ａ）（１２ｂ）が互いに対応する位置に備えられ、前記第１及び第２回転体（１２ａ）（１２ｂ）は、前記第１及び第２回転軸（１１ａ）（１１ｂ）との間にラッチ（Ｌ）が備えられて、それぞれ異なる方向の一側方向にのみ動力を伝達し、前記第１及び第２回転軸（１１ａ）（１１ｂ）の一側端部には第１及び第２動力伝達ギヤ（１３ａ）（１３ｂ）が備えられることを特徴とする、請求項１に記載の重力体による浮力発電装置。
【請求項６】
動力ギヤ（５０）の内周面に内側ギヤ（５１）が形成され、外周面に外側ギヤ（５２）が形成されたリング状の動力ギヤ（５０）が、前記第１及び第２動力伝達ギヤ（１３ａ）（１３ｂ）と当接するように備えられることを特徴とする、請求項５に記載の重力体による浮力発電装置。
【請求項７】
前記浮力体（３０）には、前記ロープ（２０）の上下移動をガイドするようにガイド孔（３１）が形成されることを特徴とする、請求項１に記載の重力体による浮力発電装置。
【請求項８】
前記浮力体（３０）は、円柱又は多角柱形状の柱部（３０ａ）、及び前記柱部（３０ａ）の下部の円錐又は多角錐形状の錐部（３０ｂ）で形成されることを特徴とする、請求項１に記載の重力体による浮力発電装置。
【請求項９】
前記浮力体（３０）は、空気又は海水が注入又は排出されるように流体注入口（３０ｃ）及び流体排出口（３０ｄ）が形成されることを特徴とする、請求項１に記載の重力体による浮力発電装置。
【請求項１０】
前記浮力体（３０）は中空状に形成され、塩水による腐食が防止されるように内部にＦＲＴコーティング層（３２）が形成されることを特徴とする、請求項９に記載の重力体による浮力発電装置。
【請求項１１】
前記重力体（４０）の上、下部には、摩擦抵抗を低減するために傾斜面（４０ａ）又は曲面（４０ｂ）が形成されることを特徴とする、請求項１に記載の重力体による浮力発電装置。
【請求項１２】
前記重力体（４０）は、中空部が形成されるように重量部（４０ｅ）が備えられ、前記中空部に空気又は海水が注入又は排出されるように流体注入口（４０ｃ）及び流体排出口（４０ｄ）が形成されることを特徴とする、請求項１に記載の重力体による浮力発電装置。
【請求項１３】
前記重力体（４０）は、重量錘（４４）が挿入されるように多数の重量錘挿入溝（４３）が形成され、前記重量錘挿入溝（４３）の上部に重量錘カバー（４５）が結合されることを特徴とする、請求項１に記載の重力体による浮力発電装置。
【請求項１４】
前記回転モジュール（１０）は構造物（７０）に取り付けられ、前記構造物（７０）には、内周面にベアリング（７１ａ）が備えられた回転軸固定部（７１）が少なくとも１つ形成されて、前記回転モジュール（１０）の回転軸（１１）が回転軸固定部（７１）を貫通してベアリング（７１ａ）に当接するように備えられることを特徴とする、請求項１に記載の重力体による浮力発電装置。
【請求項１５】
前記構造物（７０）には、前記ロープ（２０）の移動をガイドするようにロープガイド部（７２）が形成されることを特徴とする、請求項１４に記載の重力体による浮力発電装置。
【請求項１６】
前記動力ギヤ（５０）と一体に回転するように重量変速ギヤ（８０）が備えられ、前記重量変速ギヤ（８０）は、スパーギヤ（８１）が形成されて発電機（６０）の発電ギヤ（６１）に動力を伝達することを特徴とする、請求項１に記載の重力体による浮力発電装置。
【請求項１７】
前記重量変速ギヤ（８０）は、速度センサ（８２）及びブレーキパッド（８３）を備えて、回転速度を一定範囲に維持することを特徴とする、請求項１６に記載の重力体による浮力発電装置。
【請求項１８】
前記回転モジュール（１０）は、電流供給線（９１）又は熱線（９２）を備えて、発電機（６０）から電流又は熱が供給されることを特徴とする、請求項１に記載の重力体による浮力発電装置。
【発明の詳細な説明】
【技術分野】
【０００１】
本発明は、重力体による浮力発電装置に関し、詳細には、回転軸に少なくとも１つの回転体が備えられる回転モジュールにおいて、前記回転体にロープが当接するように取り付けられて上下に移動し、前記ロープの一側端部には浮力体が備えられ、他側端部には浮力体よりも重量の小さい重力体が備えられることによって、安定的且つ持続的な発電を行うことができる重力体による浮力発電装置に関する。
【背景技術】
【０００２】
過去には電力を生産するために、化石燃料の化学エネルギーを用いる火力発電、ダムを形成して水の位置エネルギーを用いる水力発電、ウラニウムの核分裂を用いる原子力発電などが広範囲に使用されてきた。
【０００３】
ところが、近年は、資源の枯渇と安全性の問題、そして、環境配慮の価値を重視する時代的な雰囲気によって、前記三大発電に対するエネルギー依存度が次第に減少する趨勢であり、無限エネルギー源である自然エネルギーとして、太陽熱、潮力、波力、風力、地熱などを用いた発電システムへの関心が増大している。
【０００４】
また、地球表面の７０％以上が海で覆われており、特に韓国は三面が海で囲まれているので、海が持つ無限エネルギーを積極的に利用しやすい環境にあるため、韓国内でも波力を用いた発電装置への関心が増大している。
【０００５】
このとき、波力を用いた発電装置は様々な問題解決要素が要求され、その中でも、多方向の海水面の流動を効果的に捕集する方法と、簡易に設置できる又は既に設置された構造物を用いて効果的に電力を生産して伝達できる方法を提供することが主要な課題といえる。
【０００６】
一方、これに関連する先行技術文献としては、大韓民国登録特許第１０−１５１０６３２号の「波力発電装置」（２０１５．０４．０３．登録）、及び大韓民国公開特許第１０−２０１４−００９３９１３号の「波力発電装置」（２０１４．０７．２９．公開）がある。
【０００７】
前記先行技術文献は、水平運動を回転運動に転換するか、または上下垂直運動を回転運動に転換して電気的エネルギーを生産するように提案された。
【０００８】
ところが、前記先行技術文献は、多方向に流動する海水面から効率的な発電を達成するのに困難が多かった。また、発電装置の複雑な構造により、使用中に部材の損傷や故障が発生してしまい、海水面の流動に対応して安定した発電を達成しにくいという問題があった。
【０００９】
さらに、発電装置を設置するための構造物を施工するのに相当なコストと非経済性が発生するというさらなる問題があった。
【発明の概要】
【発明が解決しようとする課題】
【００１０】
本発明は、上記問題点を解決するために案出されたもので、海水面の流動を浮力体の上下垂直運動に効果的に転換し、発電装置の構造を簡素化して管理及び修理の効率性を図り、発電装置の設置のための構造物を簡易に設置して又は既に設置された構造物を利用することができる重力体による浮力発電装置を提供しようとする。
【課題を解決するための手段】
【００１１】
上記課題を解決するために、本発明の重力体による浮力発電装置は、回転軸１１に少なくとも１つの回転体１２が備えられ、前記回転体１２は、回転軸１１との間にラッチＬが備えられて一側方向にのみ動力を伝達し、前記回転軸１１の一側端部には動力伝達ギヤ１３が備えられることで、回転モジュール１０が形成され、前記回転モジュール１０の回転体１２にはロープ２０が当接するように取り付けられて上下に移動し、前記ロープ２０の一側端部には浮力体３０が備えられ、他側端部には浮力体３０よりも重量の小さい重力体４０が備えられ、前記回転モジュール１０の一側端部には、動力ギヤ５０が前記動力伝達ギヤ１３と当接するように備えられて、前記動力ギヤ５０の回転力が発電機６０に伝達されることを特徴とする。
【００１２】
また、前記回転体１２はピニオンギヤであり、ロープ２０に形成されたラックギヤ２１が当接するようにロープ２０が取り付けられて上下に移動することができる。
【００１３】
また、前記ロープ２０は、回転体１２に１周以上巻回されるように取り付けられて上下に移動することができる。
【００１４】
また、前記回転体１２は螺旋状の巻取溝１２ｃが形成され、前記巻取溝１２ｃにロープ２０が１周以上巻回されるように取り付けられてもよい。
【００１５】
また、前記回転モジュール１０は、並んで配置された一対の第１及び第２回転軸１１ａ，１１ｂに、それぞれ少なくとも１つの第１及び第２回転体１２ａ，１２ｂが互いに対応する位置に備えられ、前記第１及び第２回転体１２ａ，１２ｂは、前記第１及び第２回転軸１１ａ，１１ｂとの間にラッチＬが備えられて、それぞれ異なる方向の一側方向にのみ動力を伝達し、前記第１及び第２回転軸１１ａ，１１ｂの一側端部には第１及び第２動力伝達ギヤ１３ａ，１３ｂを備えることができる。
【００１６】
また、動力ギヤ５０の内周面に内側ギヤ５１が形成され、外周面に外側ギヤ５２が形成されたリング状の動力ギヤ５０が、前記第１及び第２動力伝達ギヤ１３ａ，１３ｂと当接するように備えられてもよい。
【００１７】
また、前記浮力体３０には、前記ロープ２０の上下移動をガイドするようにガイド孔３１を形成することができる。
【００１８】
また、前記浮力体３０は、円柱又は多角柱形状の柱部３０ａ、及び前記柱部３０ａの下部の円錐又は多角錐形状の錐部３０ｂで形成することができる。
【００１９】
また、前記浮力体３０は、空気又は海水が注入又は排出されるように流体注入口３０ｃ及び流体排出口３０ｄが形成されてもよい。
【００２０】
また、前記浮力体３０は中空状に形成され、塩水による腐食が防止されるように内部にＦＲＴコーティング層３２が形成されてもよい。
【００２１】
また、前記重力体４０の上、下部には、摩擦抵抗を低減するために傾斜面４０ａ又は曲面４０ｂが形成されてもよい。
【００２２】
前記重力体４０は、中空部が形成されるように重量部４０ｅが備えられ、前記中空部に空気又は海水が注入又は排出されるように流体注入口４０ｃ及び流体排出口４０ｄが形成されてもよい。
【００２３】
また、前記重力体４０は、重量錘４４が挿入されるように多数の重量錘挿入溝４３が形成され、前記重量錘挿入溝４３の上部に重量錘カバー４５が結合されてもよい。
【００２４】
また、前記回転モジュール１０は構造物７０に取り付けられ、前記構造物７０には、内周面にベアリング７１ａが備えられた回転軸固定部７１が少なくとも１つ形成されて、前記回転モジュール１０の回転軸１１が回転軸固定部７１を貫通してベアリング７１ａに当接するように備えられてもよい。
【００２５】
また、前記構造物７０には、前記ロープ２０の移動をガイドするようにロープガイド部７２が形成されてもよい。
【００２６】
また、前記動力ギヤ５０と一体に回転するように重量変速ギヤ８０が備えられ、前記重量変速ギヤ８０は、スパーギヤ８１が形成されて発電機６０の発電ギヤ６１に動力を伝達することができる。
【００２７】
また、前記重量変速ギヤ８０は、速度センサ８２及びブレーキパッド８３を備えて、回転速度を一定範囲に維持することができる。
【００２８】
そして、前記回転モジュール１０は、電流供給線９１又は熱線９２を備えて、発電機６０から電流又は熱が供給されてもよい。
【発明の効果】
【００２９】
本発明の重力体による浮力発電装置は、ロープの一側端部には浮力体が備えられ、他側端部には浮力体よりも重量が小さい重力体を備えることによって、海水面の流動を浮力体の上下垂直運動に効果的に転換することができる。
【００３０】
また、回転モジュールの回転体に当接するようにロープが取り付けられて上下に移動するところ、発電装置の構造を簡素化して管理及び修理の効率性を図ることができる。
【００３１】
そして、発電装置の設置のための構造物を簡易に据え置き設置して又は既に設置された構造物を利用できるという効果がある。
【図面の簡単な説明】
【００３２】
【図１】本発明の一実施例に係る重力体による浮力発電装置を示した斜視図である。
【図２】本発明の他の実施例に係る重力体による浮力発電装置を示した斜視図である。
【図３】本発明の重力体による浮力発電装置の作動原理を示した正面図である。
【図４】本発明の一実施例に係るロープ及び回転モジュールの断面図である。
【図５】本発明の他の実施例に係るロープ及び回転モジュールの断面図である。
【図６】本発明の一実施例に係る動力ギヤを示した斜視図である。
【図７】本発明の他の実施例に係る動力ギヤを示した概念図である。
【図８】本発明の一実施例に係る重量変速ギヤを示した側面図である。
【図９】本発明の一実施例に係る浮力体を示した断面図である。
【図１０】本発明の様々な実施例に係る重量体を示した断面図である。
【図１１】本発明の一実施例に係る電流供給線及び熱線を開示した概念図である。
【発明を実施するための形態】
【００３３】
以下、本発明の好ましい実施例について、添付の図面に基づいて詳細に説明する。
【００３４】
図１は、本発明の一実施例に係る重力体による浮力発電装置を示した斜視図であり、回転モジュール１０と、回転モジュール１０に取り付けられるロープ２０と、ロープ２０の両端部に備えられる浮力体３０及び重力体４０と、前記回転モジュール１０の回転力が伝達される動力ギヤ５０と、回転力に基づいて発電する発電機６０とを含んで構成される。
【００３５】
具体的に、回転モジュール１０は、前記ロープ２０の上下垂直運動を回転運動に転換して回転力を動力ギヤ５０に伝達する構成であって、回転軸１１に少なくとも１つの回転体１２が備えられており、前記回転体１２は、回転軸１１との間にラッチＬが備えられて一側方向にのみ動力を伝達し、前記回転軸１１の一側端部には動力伝達ギヤ１３が備えられて形成される。
【００３６】
前記回転軸１１は、並んで配置された一対の第１及び第２回転軸１１ａ，１１ｂに、それぞれ少なくとも１つの第１及び第２回転体１２ａ，１２ｂが互いに対応する位置に備えられ、前記第１及び第２回転軸１１ａ，１１ｂの一側端部には第１及び第２動力伝達ギヤ１３ａ，１３ｂが備えられ得る。
【００３７】
このとき、前記回転モジュール１０の第１及び第２回転体１２ａ，１２ｂは、前記第１及び第２回転軸１１ａ，１１ｂとの間にラッチＬが備えられて、それぞれ異なる方向の一側方向にのみ動力を伝達することができる。
【００３８】
すなわち、複数の第１及び第２回転体１２ａ，１２ｂが備えられる場合、それぞれのロープ２０が行う独立した上下垂直運動によって第１及び第２回転体１２ａ，１２ｂの回転運動がそれぞれ異なるところ、それぞれの第１及び第２回転体１２ａ，１２ｂが第１及び第２回転軸１１ａ，１１ｂに独立して回転力を伝達するようにラッチＬを備えることができる。
【００３９】
前記第１及び第２動力伝達ギヤ１３ａ，１３ｂは、回転軸１１ａ，１１ｂの回転力を後述する動力ギヤ５０に伝達するようになる。
【００４０】
一方、図４に示されるように、前記回転体１２はピニオンギヤであり、ロープ２０に形成されたラックギヤ２１が当接するようにロープ２０が取り付けられて上下に移動することができる。このとき、第１及び第２回転体１２ａ，１２ｂをピニオンギヤで構成すると、前記回転モジュール１０の第１及び第２回転体１２ａ，１２ｂには、ロープ２０に形成されたラックギヤ２１が当接するようにロープ２０が取り付けられて上下に移動し、前記ロープ２０の一側端部には浮力体３０が備えられ、他側端部には、浮力体３０よりも重量の小さい重力体４０が備えられる。
【００４１】
前記ロープ２０に備えられたラックギヤ２１はチェーンで代替することができ、ロープ２０の上下運動を回転モジュール１０に伝達できる構成であれば、これは、当該技術分野における通常の知識を有する者が容易に変更できる事項であるので、本発明の権利範囲に属するものと見なすべきである。
【００４２】
一方、図５に示されるように、前記ロープ２０は、回転体１２に１周以上巻回されるように取り付けられて上下に移動することができる。このとき、前記回転体１２を第１及び第２回転体１２ａ，１２ｂで構成して両方向の回転を誘導することができ、ロープ２０と回転体１２との摩擦力によって上下運動を回転運動に転換することができる。
【００４３】
このとき、前記回転体１２は螺旋状の巻取溝１２ｃが形成され、前記巻取溝１２ｃにロープ２０が１周以上巻回されるように取り付けられ得る。
【００４４】
これによって、ロープ２０が回転体１２から離脱することを防止し、動力をより効果的に伝達することができる。
【００４５】
一方、前記浮力体３０は、海水面の流動によって上下垂直運動を行い、ロープ２０の垂直運動を第１及び第２回転体１２ａ，１２ｂの回転運動に伝達する。
【００４６】
このとき、前記浮力体３０は、海水面の多方向の流動にもかかわらず、ロープ２０の他側端部に備えられた重力体４０によって効果的な垂直運動を行うことができるようにガイドされる。具体的に、前記重力体４０は、ロープ２０に一定の張力を加えて、浮力体３０が左右に遊動しないように制御する。
【００４７】
一方、前記浮力体３０には、前記ロープ２０の上下移動をガイドするようにガイド孔３１が形成され得る。
【００４８】
すなわち、浮力体３０の表面積を一定部分確保する場合、浮力体３０に形成されたガイド孔３１をロープ２０が貫通することによって、浮力体３０が効果的に垂直運動を行うように作製することができる。
【００４９】
また、前記浮力体３０は、球状、平面状、柱状、逆ピラミッド状、円錐などの様々な形状に作製することができるが、図7に示されるように、波高の高さＨに対応する円柱又は多角柱形状の柱部３０ａ、及び柱部の下部の円錐又は多角錐形状の錐部３０ｂで形成することが好ましい。
【００５０】
すなわち、柱部３０ａによって、波高から効果的に浮遊力を確保し、錐部３０ｂによって、隣接する浮力体３０との干渉が発生しないようにする。
【００５１】
また、前記浮力体３０は、空気又は海水などが注入又は排出されるように流体注入口３０ｃ及び流体排出口３０ｄが形成され得る。
【００５２】
前記浮力体３０は、後述する重力体４０との関係において浮力を調節するために、空気を注入して浮力を増加させるか、または海水を注入して浮力を減少させることができる。すなわち、前記流体注入口３０ｃ及び流体排出口３０ｄを用いて空気又は海水を注入又は排出することによって浮力を調節することができる。
【００５３】
したがって、前記浮力体３０は、中空状に形成して流体を注入できるように作製し、塩水による腐食を防止するように内部にＦＲＰ（Ｆｉｂｅｒｇｌａｓｓ  Ｒｅｉｎｆｏｒｃｅｄ  Ｐｌａｓｔｉｃ）コーティング層３２を形成することができる。
【００５４】
一方、図２に示されるように、前記重力体４０にはスライド孔４１が形成され、前記重力体４０の下部には、前記スライド孔４１に挿入されるようにスライドバー４２が備えられて、前記重力体４０のスライド孔４１にスライドバー４２が挿入されて前記重力体４０の上下移動をガイドすることができる。
【００５５】
前記重力体４０は、ロープ２０に一定の張力を加えて、浮力体３０が左右に遊動しないように制御するが、強い潮流によって重力体４０が遊動する場合、浮力体３０の垂直運動を効果的に誘導することができない。したがって、重力体４０にスライド孔４１を形成し、スライドバー４２がスライド孔４１に沿って移動するようにして、重力体４０が上下に移動するようにガイドすることができる。
【００５６】
また、重力体４０が底面に当接する場合、底が窪んで構造物の安定性を損なうことがあるため、重力体４０が底面に直接的に当接しないように機能する。
【００５７】
このとき、前記スライドバー４２は、様々な方式で水中に備えることができ、ロープ、支柱、底板などの様々な方式で固定可能である。
【００５８】
一方、前記重力体４０は水中に備えられてもよく、または地上に揚重された状態で備えられてもよい。
【００５９】
また、図１及び図２に示されるように、前記重力体４０の上、下部には傾斜面４０ａ又は曲面４０ｂを形成することができる。重力体４０が上下に移動すると、水中抵抗によって左右に遊動し得るため、重力体４０の形状によって抵抗を低減し、重力体４０の移動が効果的に行われるように傾斜面４０ａ又は曲面４０ｂを形成することが好ましい。
【００６０】
一方、図１０に示されるように、前記重力体４０は、中空部が形成されるように重量部４０ｅが備えられ、前記中空部に、空気又は海水が注入又は排出されるように流体注入口４０ｃ及び流体排出口４０ｄが形成され得る。
【００６１】
これによって、前記重力体４０は、浮力体３０との関係において重力を調節するために、空気を注入して重力を減少させるか、または海水を注入して浮力を減少させることができる。すなわち、前記流体注入口４０ｃ及び流体排出口４０ｄを用いて空気又は海水を注入又は排出することによって重力を調節することができる。
【００６２】
また、前記重力体４０は、重量錘４４が挿入されるように多数の重量錘挿入溝４３が形成され、前記重量錘挿入溝４３の上部に重量錘カバー４５が結合され得る。
【００６３】
このとき、前記重量錘挿入溝４３は、環状に配置されて重心を維持できるように作製することが好ましく、重量錘４４の個数を調節して重力を調節することができる。また、一つの重量錘挿入溝４３に多数の重量錘４４が挿入されるように作製してもよい。
【００６４】
一方、図６に示されるように、前記回転モジュール１０の一側端部には、内周面に内側ギヤ５１が形成され、外周面に外側ギヤ５２が形成されたリング状の動力ギヤ５０が、前記第１及び第２動力伝達ギヤ１３ａ，１３ｂと当接するように備えられることで、前記動力ギヤ５０の回転力が発電機６０に伝達される。
【００６５】
回転方向が異なる第１及び第２動力伝達ギヤ１３ａ，１３ｂは、それぞれ動力ギヤ５０の内、外周面に形成された内、外側ギヤ５１，５２と当接して、動力ギヤ５０が一側方向にのみ連続した回転が発生するようにする。
【００６６】
また、他の実施例として、図７に示されるように、動力ギヤ５０にはベルト５３が当接するように取り付けられ、前記ベルト５３の一側面に第１動力伝達ギヤ１３ａが当接するように備えられ、他側面に第２動力伝達ギヤ１３ｂが当接するように備えられ得る。
【００６７】
前記ベルト５３は、両面にギヤ刃が形成されるように作製するか、またはチェーン形状に作製して、両面でそれぞれ第１及び第２動力伝達ギヤ１３ａ，１３ｂに当接するように作製することによって、第１及び第２動力伝達ギヤ１３ａ，１３ｂの回転方向にもかかわらず、動力ギヤ５０が一側方向にのみ連続した回転が発生するようにする。
【００６８】
すなわち、本発明の回転モジュール１０は、ロープ２０を用いて浮力体３０の上下垂直運動をいずれも回転運動に転換することができ、これによって発電効率が増加することができる。
【００６９】
一方、図２に示されるように、前記回転モジュール１０は構造物７０に取り付けられ、前記構造物７０には、内周面にベアリング７１ａが備えられた回転軸固定部７１が少なくとも１つ形成されて、前記回転モジュール１０の第１及び第２回転軸１１ａ，１１ｂがそれぞれ前記回転軸固定部７１を貫通してベアリング７１ａに当接するように備えられ得る。
【００７０】
前記構造物７０は、回転モジュール１０を取り付けることができる形状であれば、いかなる制約も受けない。前記構造物７０は、フレームや梁形状のＲＣ造であってもよく、または防波堤のような海岸構造物であってもよい。
【００７１】
一例として、防波堤のような海岸構造物を貫通するように構造物７０を形成し、構造物７０の両端に回転モジュール１０を備えて、防波堤の構造物７０をロープ２０が貫通するようにし、ロープ２０の一側端部には浮力体３０を備え、他側端部には重力体４０を備えることによって、防波堤を挟んで前記浮力体３０と重力体４０が上下垂直運動を行うように作製することができる。
【００７２】
このとき、前記重力体４０は水中に備えられてもよく、または地上に揚重された状態で備えられてもよい。
【００７３】
前記回転軸固定部７１は、構造物７０と回転モジュール１０との結合のための構成であって、内周面にベアリング７１ａを備えることによって第１及び第２回転軸１１ａ，１１ｂの回転が効果的に行われるように作製することができる。
【００７４】
一方、前記構造物７０には、前記ロープ２０の上下移動をガイドするようにロープガイド部７２を形成することができる。前記ロープ２０がロープガイド部７２を貫通することによって、垂直運動がより効果的にガイドされ得る。
【００７５】
また、前記構造物７０には、スライドバー４２を固定するようにバー固定部７３を形成することができる。
【００７６】
上述したように、重力体４０にスライド孔４１を形成し、スライドバー４２がスライド孔４１に沿って移動するようにして、重力体４０が上下に移動するようにガイドすることができる。
【００７７】
このとき、前記スライドバー４２が位置を移動する場合、重力体４０をガイドする機能を発揮することができないところ、スライドバー４２が前記バー固定部７３によって一定の位置を維持できるようになる。
【００７８】
また、前記構造物７０には、空気又は海水などが注入又は排出されるように流体注入口７０ａ及び流体排出口７０ｂを形成することができる。
【００７９】
前記構造物７０は、空気を注入して浮力を増加させるか、または海水を注入して浮力を減少させることができる。すなわち、前記流体注入口７０ａ及び流体排出口７０ｂを用いて空気又は海水を注入又は排出することによって浮力を調節して、水中に構造物７０を据え置いたり、水中で構造物７０を揚重したりすることができる。
【００８０】
また、前記構造物７０の上部には太陽光モジュールパネルを備えることで、追加的な発電が行われるように作製することができる。
【００８１】
一方、図８に示されるように、前記動力ギヤ５０と一体に回転するように重量変速ギヤ８０が備えられ、前記重量変速ギヤ８０はスパーギヤ８１が形成されて発電機６０の発電ギヤ６１に動力を伝達することができる。
【００８２】
前記重量変速ギヤ８０は、発電ギヤ６１の回転速度を変更させ、追加的に重力体で形成することによって、慣性力によって前記発電ギヤ６１に一定の回転力を伝達できるように機能する。
【００８３】
このとき、前記重量変速ギヤ８０は、速度センサ８２及びブレーキパッド８３を備えることで、回転速度を一定範囲に維持することができる。すなわち、速度センサ８２によって測定された重量変速ギヤ８０の速度が相対的に速い場合、ブレーキパッドを作動させて速度を調節することができる。
【００８４】
一方、図１１に示されるように、前記回転モジュール１０は、電流供給線９１又は熱線９２を備えることで、発電機６０から電流又は熱が供給され得る。
【００８５】
これによって、回転モジュール１０の回転軸１１や回転体２０などの各種金属材付属品の酸化を防止して耐久性が確保されるように構成することができ、前記電流供給線９１又は熱線９２は構造物７０の内部に備えて、発電機６０から伝達される電力を用いることが好ましい。
【００８６】
以上で説明した本発明に係る重力体による浮力発電装置は、上記の実施例に限定されず、以下の特許請求の範囲で請求する本発明の要旨を逸脱することなく、本発明の属する技術分野における通常の知識を有する者であれば誰でも多様に変更して実施できる範囲まで、特許請求の範囲の保護範囲に属するものと見なすべきである。
【図１】
2018530704.tif 000003
【図２】
2018530704.tif 000004
【図３】
2018530704.tif 000005
【図４】
2018530704.tif 000006
【図５】
2018530704.tif 000007
【図６】
2018530704.tif 000008
【図７】
2018530704.tif 000009
【図８】
2018530704.tif 000010
【図９】
2018530704.tif 000011
【図１０】
2018530704.tif 000012
【図１１】
2018530704.tif 000013
【国際調査報告】
2018530704.tif 000014
2018530704.tif 000015
2018530704.tif 000016
2018530704.tif 000017